(57)【要約】      （修正有）【課題】作業者が、茶樹を植えた畝の間の通路を前後に移動しつつ茶葉を手で摘み取る際に、作業者が着用するズボンやスカートに穴があいたり裂けたりする等の破損が生じることを防止可能であるとともに、作業者の茶摘み作業の効率低下を防止可能な茶摘み作業用プロテクターを提供する。【解決手段】布製のエプロン状の前垂れ１０と、着用者の左大腿部から左膝上にかけての部分の前面と側面とを上から覆い隠す左側防護部３０と、着用者の右大腿部から右膝上にかけての部分の前面と側面とを上から覆い隠す右側防護部３１と、によって茶摘み作業用プロテクター１Ａを構成し、左側防護部３０と右側防護部３１とを、面ファスナー４０を用いて前垂れ１０に上から隙間なく貼り付けて取り付ける。【選択図】図１
0003186973.tif 000002
【実用新案登録請求の範囲】
【請求項１】
着用者の左大腿部から左膝上にかけての部分の前面と側面とを上から覆い隠す左側防護部と、着用者の右大腿部から右膝上にかけての部分の前面と側面とを上から覆い隠す右側防護部と、を、有し、
前記左側防護部と、前記右側防護部と、は、ＰＡＮ系炭素繊維製の布、パラ系アラミド繊維製の布、超高分子量ポリエチレン繊維製の布、ポリアリレート繊維製の布、ＰＢＯ繊維製の布、高強度ポリエチレン繊維製の布、高強度ＰＶＡ繊維製の布、ポリアセタール繊維製の布、金属板またはプラスチック板によって形成されていることを特徴とする茶摘み作業用プロテクター。
【請求項２】
前記左側防護部と、前記右側防護部と、は、金属板またはプラスチック板によって形成されており、
前記左側防護部と、前記右側防護部と、は、左右方向に連続する山折りと谷折りとが交互に形成されてなる蛇腹状構造を有していることを特徴とする請求項１に記載の茶摘み作業用プロテクター。
【請求項３】
少なくとも着用者の腰部から膝部まで達する長さを有する布製のエプロン状の前垂れを有し、当該前垂れに、前記左側防護部と、前記右側防護部と、が、取り付けられていることを特徴とする。請求項１また請求項２に記載の茶摘み作業用プロテクター。
【請求項４】
着用者が左脚を通す左脚部と、着用者が右脚を通す右脚部と、有する布製のズボン状の構造を有し、当該左脚部に、前記左側防護部が取り付けられ、当該右脚部に、前記右側防護部が取り付けられていることを特徴とする請求項１または請求項２に記載の茶摘み作業用プロテクター。
【請求項５】
前記左側防護部の下端には、前記左側防護部の下端を着用者の左脚に巻きつけて固定するための紐状体が取り付けられており、前記右側防護部の下端には、前記右側防護部の下端を着用者の右脚に巻きつけて固定するための紐状体が取り付けられていることを特徴とする請求項３または請求項４に記載の茶摘み作業用プロテクター。
【考案の詳細な説明】
【技術分野】
【０００１】
本考案は、茶園において人が茶葉の摘み取り作業を行う際に着用する茶摘み作業用プロテクターに関する。
【背景技術】
【０００２】
通常、茶園において、茶樹は複数条の畝に植えられている（非特許文献１を参照）。そして、畝どうしの間には、茶樹を手入れしたり、茶葉を摘み取ったりする際に、人が通るための通路が設けられている。
近年では、茶葉の摘み取り作業の効率化を図るために、様々な茶葉摘み取り用の機械が提案されている。かかる茶葉摘み取り用の機械として、例えば、畝の間の通路を走行可能に構成された自動走行式茶摘採機（特許文献１を参照）や、畝の間に敷設されたレール上を走行するレール走行式茶園管理機（特許文献２を参照）がある。
【先行技術文献】
【特許文献】
【０００３】
【特許文献１】特開平１１−１６８９４７号公報
【特許文献２】特開平０９−１０７７６６号公報
【非特許文献】
【０００４】
【非特許文献１】“ｃｈａ  ｍｕｓｅｕｍ  楽しく健康に、お茶のある生活を  お茶の情報がギュっと詰まったウェブ博物館  知る・学ぶ  お茶農家・お茶のまちの１年”、［ｏｎｌｉｎｅ］、株式会社市川園、［平成２５年７月３１日検索］、インターネット＜ＵＲＬ：ｈｔｔｐ：／／ｍｕｓｅｕｍ．ｉｃｈｉｋａｗａｅｎ．ｃｏ．ｊｐ／ｋｎｏｗｌｅｄｇｅ／ｙｅａｒｌｏｎｇ．ｐｈｐ＞
【考案の概要】
【考案が解決しようとする課題】
【０００５】
茶園において、茶樹が植えられている場所は、必ずしも平坦地であるとは限らず、傾斜地であることも多い。また、畝の間の通路は、まっすぐ形成されているとも限らず、曲がりくねっている場合も多い。茶樹が傾斜地に植えられていたり、畝の間の通路が曲がりくねっていたりする場合、自動走行式茶摘採機やレール走行式茶園管理機の使用は困難であることが多い。
【０００６】
また、レール走行式茶園管理機を使用するに当たっては、畝の間にレールを敷設する必要があり、このために大きなコストが発生してしまう。
このため、多くの茶園では、茶葉の摘み取り作業を、機械化することなく手作業で行っている。茶葉の摘み取り作業を手作業で行う場合、作業者が畝の間の通路を前進あるいは後退しながら、茶葉を手で摘み取らなければならない。この際、作業者が着用しているズボンやスカートが茶樹に擦れて当たる。特に、作業者のズボンやスカートにおいて、大腿部から膝上にかけての部分の前面と側面が、茶樹に擦れて当たりやすい。
【０００７】
一般に、茶葉を手で摘み取る際に作業者が移動しなければならない畝の間の通路の総距離は非常に長い。このため、茶樹に擦れて当たる作業者のズボン等は、穴があいたり裂けたりして破損を生じやすい。作業者のズボン等に穴があく等して破損が生じると、この破損した部分に茶樹の枝等が引っかかり、作業者の前進あるいは後退が妨げられ、茶摘み作業の効率が低下してしまう。
【０００８】
本考案は、上記問題を解決するものであり、その目的とするところは、作業者が、茶樹を植えた畝の間の通路を前後に移動しつつ茶葉を手で摘み取る際に、作業者が着用するズボンやスカートに穴があいたり裂けたりする等の破損が生じることを防止可能であるとともに、作業者の茶摘み作業の効率低下を防止可能な茶摘み作業用プロテクターを提供することである。
【課題を解決するための手段】
【０００９】
本考案は、その課題を解決するために以下のような構成をとる。請求項１の考案に係る茶摘み作業用プロテクターは、着用者の左大腿部から左膝上にかけての部分の前面と側面とを上から覆い隠す左側防護部と、着用者の右大腿部から右膝上にかけての部分の前面と側面とを上から覆い隠す右側防護部と、を、有し、前記左側防護部と、前記右側防護部と、は、ＰＡＮ系炭素繊維製の布、パラ系アラミド繊維製の布、超高分子量ポリエチレン繊維製の布、ポリアリレート繊維製の布、ＰＢＯ繊維製の布、高強度ポリエチレン繊維製の布、高強度ＰＶＡ繊維製の布、ポリアセタール繊維製の布、金属板またはプラスチック板によって形成されていることを特徴とする。
【００１０】
ＰＡＮ系炭素繊維、パラ系アラミド繊維、超高分子量ポリエチレン繊維、ポリアリレート繊維、ＰＢＯ繊維、高強度ポリエチレン繊維、高強度ＰＶＡ繊維及びポリアセタール繊維は、それぞれ、高い引っ張り強度を有する繊維であり、特に高いヤング率を有する繊維である。
【００１１】
したがって、ここに列挙した繊維製の布は、大きな引き裂き強度を有している。これらの繊維製の布や金属板またはプラスチック板によって形成された左側防護部と右側防護部とは、茶樹の枝等が繰り返し擦れたり当たったりしても、穴があいたり裂けたりして破損することがない。
【００１２】
そして、作業者は、茶摘み作業用プロテクターをズボンやスカートの上に着用することで、着用しているズボンやスカートが茶樹の枝等に繰り返し擦れたり当たったりして破損することを防止できる。
【００１３】
請求項２の考案に係る茶摘み作業用プロテクターは、請求項１に記載の茶摘み作業用プロテクターであって、前記左側防護部と、前記右側防護部と、は、金属板またはプラスチック板によって形成されており、前記左側防護部と、前記右側防護部と、は、左右方向に連続する山折りと谷折りとが交互に形成されてなる蛇腹状構造を有していることを特徴とする。
【００１４】
左側防護部と右側防護部とは、蛇腹状構造をそれぞれ有しているので、容易に撓むことが出来る。したがって、茶摘み作業用プロテクターの着用者は、容易に前かがみになる等の姿勢をとることができる。
また、蛇腹状構造を形成する山折りと谷折りとは、左右方向に連続しているので、茶樹の枝先等は、蛇腹状構造に引っかかったりせずに、蛇腹状構造の上を横滑りしてしまう。したがって、茶摘み作業用プロテクターを着用する作業者は、茶摘み作業を楽な姿勢で効率よく行うことができる。
【００１５】
請求項３の考案に係る茶摘み作業用プロテクターは、請求項１また請求項２に記載の茶摘み作業用プロテクターであって、少なくとも着用者の腰部から膝部まで達する長さを有する布製のエプロン状の前垂れを有し、当該前垂れに、前記左側防護部と、前記右側防護部と、が、取り付けられていることを特徴とする。
【００１６】
作業者は、前垂れが身体の正面側に垂れ下がるようにして、茶摘み作業用プロテクターを着用する。左側防護部が、着用者のズボンやスカートの上から、左側大腿部上部から左側膝上側部までの部分を覆い隠す。同様に、右側防護部が、着用者のズボンやスカートの上から着用者の右側大腿部上部から右側膝上側部までの部分を覆い隠す。
【００１７】
作業者は、茶摘み作業用プロテクターをズボンやスカートの上に着用することで、ズボンやスカートが茶樹の枝等に繰り返し擦れたり当たったりして破損すること防止できる。
左側防護部と右側防護部とを前垂れに取り付けるに際しては、例えば、左側防護部と右側防護部とを前垂れに縫い付けても良いし、紐やボタン等を用いて左側防護部と右側防護部とを前垂れに取り付けても良い。また、面テープを用いて左側防護部と右側防護部とを前垂れに取り付けても良い。接着剤を用いて左側防護部と右側防護部とを前垂れに取り付けても良い。
【００１８】
また、左側防護部と右側防護部とを前垂れに取り付けるに際しては、左側防護部の左側縁部分と前垂れとの間に隙間ができないようにするとともに、右側防護部の右側縁部分と前垂れとの間に隙間ができないようにすることが好ましい。このようにすることで、左側防護部の左側縁部分と前垂れとの間や、右側防護部の右側縁部分と前垂れとの間に、茶樹の枝先等が引っかかることを防止できる。
【００１９】
請求項４の考案に係る茶摘み作業用プロテクターは、請求項１また請求項２に記載の茶摘み作業用プロテクターであって、着用者が左脚を通す左脚部と、着用者が右脚を通す右脚部と、有する布製のズボン状の構造を有し、当該左脚部に、前記左側防護部が取り付けられ、当該右脚部に、前記右側防護部が取り付けられていることを特徴とする。
【００２０】
茶摘み作業用プロテクターは、ズボン状の構造を有しているので、着用者は、ズボンやスカートの上から茶摘み作業用プロテクターを重ねて着用することができる。左側防護部が、着用者のズボンやスカートの上から左側大腿部上部から、左側膝上側部までの部分を覆い隠す。同様に、右側防護部が、着用者のズボンやスカートの上から、右側大腿部上部から右側膝上側部までの部分を覆い隠す。
【００２１】
作業者は、茶摘み作業用プロテクターをズボンやスカートの上に着用することで、ズボンやスカートが茶樹の枝等に繰り返し擦れたり当たったりして破損すること防止できる。
左側防護部と右側防護部とをズボン状の構造に取り付けるに際しては、左側防護部と右側防護部とを前垂れに取り付ける場合と同様にすれば良い。
【００２２】
請求項５の考案に係る茶摘み作業用プロテクターは、請求項３または請求項４に記載の茶摘み作業用プロテクターであって、前記左側防護部の下端には、前記左側防護部の下端を着用者の左脚に巻きつけて固定するための紐状体が取り付けられており、前記右側防護部の下端には、前記右側防護部の下端を着用者の右脚に巻きつけて固定するための紐状体が取り付けられていることを特徴とする。
【００２３】
紐状体は、例えば、普通の紐であっても良いし、ベルトであっても良い。
着用者は、紐状体を用いて左側防護部の下端を、ズボンやスカートの上から左脚に巻きつけて固定する。同様に、着用者は、紐状体を用いて右側防護部の下端を、ズボンやスカートの上から右脚に巻きつけて固定する。
【００２４】
左側防護部の下端と右側防護部の下端を脚に固定することによって、左側防護部の下端と左脚との間に隙間ができることを防止でき、右側防護部の下端と右脚との間に隙間ができることを防止できる。そして、かかる隙間ができることを防止することによって、左側防護部の下端や右側防護部の下端に茶樹の枝先等が引っかかることを防止できる。
【考案の効果】
【００２５】
上記のような茶摘み作業用プロテクターであるので、作業者が、茶樹を植えた畝の間の通路を前後に移動しつつ茶葉を手で摘み取る際に、作業者が着用するズボンやスカートに穴があいたり裂けたりする等の破損が生じることを防止可能であるとともに、作業者の茶摘み作業の効率低下を防止可能である。
【図面の簡単な説明】
【００２６】
【図１】第１の実施の形態に係る茶摘み作業用プロテクターの構成図である。
【図２】第２の実施の形態に係る茶摘み作業用プロテクターの構成図である。
【考案を実施するための形態】
【００２７】
本考案の第１の実施の形態を図１及び図２を参照しつつ説明する。
図１に示すように、茶摘み作業用プロテクター１Ａは、前垂れ１０と、左側防護部３０と、右側防護部３１と、を有している。
前垂れ１０は、略四角形の布地によって形成されており、エプロン状をなす。前垂れ１０の横方向の長さは、人の腰回りの長さの略２／３以上の長さであり、前垂れ１０の縦方向の長さは、少なくとも人の腰から膝までの長さに対応した長さである。前垂れ１０の左右上端部には、腰紐１１がそれぞれ縫い付けられている。また、前垂れ１０の表側面は、面ファスナー４０のフック面４１によって覆われている。
【００２８】
左側防護部３０と右側防護部３１は、上下方向に長いプラスチック板によって形成されている。また、左側防護部３０は、人の左大腿部から左膝上にかけての部分の前面と側面とを上から覆い隠すに足りる大きさと形とを有している。右側防護部３１は、人の右大腿部から右膝上にかけての部分の前面と側面とを上から覆い隠すに足りる大きさと形とを有している。
【００２９】
左側防護部３０と右側防護部３１の裏側の全面は、面ファスナー４０のループ面（図示せず）によって覆われている。また、左側防護部３０の左右下端部には、紐状体として固定用紐５０の端部がそれぞれ取り付けられている。右側防護部３１の左右下端部にも、紐状体として固定用紐５０の端部がそれぞれ取り付けられている。
【００３０】
左側防護部３０は、面ファスナー４０によって、正面から見た前垂れ１０の表側面の右側部分に取り付けられている。右側防護部３１も、面ファスナー４０によって、正面から見た前垂れ１０の表側面の左側部分に取り付けられている。
以上が、茶摘み作業用プロテクター１Ａの構成である。次に、茶摘み作業用プロテクター１Ａの作用効果について説明する。
【００３１】
茶葉の手摘み作業を行う作業者は、普段着のズボンの上から前垂れ１０を腰の回りに巻き、腰紐１１によって前垂れ１０を腰の回りに固定する。この際、作業者は、左側防護部３０を、左大腿部から左膝上にかけての部分の前面と側面に上からかぶせるようにし、右側防護部３１を、右大腿部から右膝上にかけての部分の前面と側面に上からかぶせるようにする。
【００３２】
左側防護部３０と右側防護部３１とは、面ファスナー４０によって前垂れ１０に取り付けられているので、作業者は、必要に応じて左側防護部３０と右側防護部３１の取り付け位置を簡単に調整することができる。
そして、作業者は、左側防護部３０の左右下端部の固定用紐５０を左脚の裏側で結び、左側防護部３０の下端部を左脚にしっかりと固定する。同様に、作業者は、右側防護部３１の左右下端部の固定用紐５０を右脚の裏側で結び、右側防護部３１の下端部を右脚にしっかりと固定する。
【００３３】
茶摘み作業用プロテクター１Ａを着用した作業者は、茶樹を植えた畝の間の通路を前進あるいは後退しながら、茶葉を手で摘み取る。この際、茶樹は、左側防護部３０または右側防護部３１の上に擦れて当たり、茶摘み作業用プロテクター１Ａの下の普段着のズボンに擦れて当たることはない。また、左側防護部３０と右側防護部３１は、プラスチック板によって形成されているので、茶摘み作業用プロテクター１Ａが茶樹に擦れて当たっても、穴があいたり裂けたりする等の破損を生じない。
【００３４】
左側防護部３０と右側防護部３１は、面ファスナー４０によって前垂れ１０の表側面に隙間なく取り付けられており、左側防護部３０の左側縁部分と前垂れ１０との間や、右側防護部３１の右側縁部分と前垂れ１０との間に、茶樹の枝先が引っかかるような隙間は存在せず、茶樹の枝先が引っかかることもない。
【００３５】
さらに、左側防護部３０の下端部は、左脚にしっかりと固定されており、右側防護部３１の下端部も、右脚にしっかりと固定されているので、左側防護部３０や右側防護部３１の下端部と前垂れ１０との間に、茶樹の枝先が引っかかるような隙間は存在せず、茶樹の枝先が引っかかることもない。
【００３６】
したがって、茶摘み作業用プロテクター１Ａを着用した作業者は、茶樹を植えた畝の間の通路を前進あるいは後退しながら、スムーズに効率よく茶葉を手で摘み取ることができる。
茶摘み作業用プロテクター１Ａを洗濯する場合には、左側防護部３０と右側防護部３１とを前垂れ１０から剥がして取り外せば良い。そして、茶摘み作業用プロテクター１Ａの洗濯が終わった、左側防護部３０と右側防護部３１とを前垂れ１０に再び取り付ければ良い。
【００３７】
本考案の第２の実施の形態を図２を参照しつつ説明する。
図２に示すように、茶摘み作業用プロテクター１Ｂは、ズボン状の構造である布製のズボン２０と、左側防護部３０と、右側防護部３１と、を有している。
ズボン２０は、人が左脚を通す左脚部２１と、着用者が右脚を通す右脚部２２と、を有しており、ズボン２０の表側面は、面ファスナー４０のフック面４１によって覆われている。
【００３８】
左側防護部３０と右側防護部３１は、上下方向に長い金属板によって形成されている。左側防護部３０は、人の左大腿部から左膝上にかけての部分の前面と側面とを上から覆い隠すに足りる大きさと形とを有している。右側防護部３１は、人の右大腿部から右膝上にかけての部分の前面と側面とを上から覆い隠すに足りる大きさと形とを有している。
【００３９】
さらに、左側防護部３０及び右側防護部３１を形成する金属板は、左右方向に連続する山折り３６と谷折り３７とが交互に形成されてなる蛇腹状構造３５を有しており、屈曲可能に形成されている。
また、左側防護部３０と右側防護部３１の裏側の全面は、面ファスナー４０のループ面（図示せず）によって覆われている。
【００４０】
そして、左側防護部３０の左右下端部には、紐状体として固定用紐５０の端部がそれぞれ取り付けられている。右側防護部３１の左右下端部にも、紐状体として固定用紐５０の端部がそれぞれ取り付けられている。
左側防護部３０は、面ファスナー４０によって、ズボン２０の左脚部２１の左大腿部から左膝上にかけての部分の前面と側面とを上から覆い隠す位置に取り付けられている。右側防護部３１は、面ファスナー４０によって、ズボン２０の右脚部２２の右大腿部から右膝上にかけての部分の前面と側面とを上から覆い隠す位置に取り付けられている。
【００４１】
以上が、茶摘み作業用プロテクター１Ｂの構成である。次に、茶摘み作業用プロテクター１Ｂの作用効果について説明する。
茶葉の手摘み作業を行う作業者は、普段着のズボンの上から茶摘み作業用プロテクター１Ｂを履く。
【００４２】
左側防護部３０と右側防護部３１とは、面ファスナー４０によってズボン２０に取り付けられているので、作業者は、必要に応じて左側防護部３０と右側防護部３１の取り付け位置を簡単に調整し、左側防護部３０を、左大腿部から左膝上にかけての部分の前面と側面に確実に上からかぶせるようにすることができ、右側防護部３１を、右大腿部から右膝上にかけての部分の前面と側面に確実に上からかぶせるようにすることができる。
【００４３】
そして、作業者は、左側防護部３０の左右下端部の固定用紐５０を左脚の裏側で結び、左側防護部３０の下端部を左脚にしっかりと固定する。同様に、作業者は、右側防護部３１の左右下端部の固定用紐５０を右脚の裏側で結び、右側防護部３１の下端部を右脚にしっかりと固定する。
【００４４】
茶摘み作業用プロテクター１Ｂを着用した作業者は、茶樹を植えた畝の間の通路を前進あるいは後退しながら、茶葉を手で摘み取る。この際、茶樹は、左側防護部３０または右側防護部３１の上に擦れて当たり、茶摘み作業用プロテクター１Ｂの下の普段着のズボンに擦れて当たることはない。また、左側防護部３０と右側防護部３１は、金属板によって形成されているので、茶摘み作業用プロテクター１Ｂが茶樹に擦れて当たっても、穴があいたり裂けたりする等の破損が生じない。
【００４５】
また、左側防護部３０と右側防護部３１は、面ファスナー４０によってズボン２０の表側面に隙間なく取り付けられており、左側防護部３０の左側縁部分とズボン２０との間や、右側防護部３１の右側縁部分とズボン２０との間に、茶樹の枝先が引っかかるような隙間は存在せず、茶樹の枝先が引っかかることもない。
【００４６】
さらに、左側防護部３０の下端部は、左脚にしっかりと固定されており、右側防護部３１の下端部も、右脚にしっかりと固定されているので、左側防護部３０や右側防護部３１の下端部とズボン２０との間に、茶樹の枝先が引っかかるような隙間は存在せず、茶樹の枝先が引っかかることもない。
【００４７】
また、左側防護部３０及び右側防護部３１は蛇腹状構造３５を有しているので、作業者は身体の屈曲を自由に行うことができる。さらに、蛇腹状構造３５をなす山折り３６と谷折り３７とは、左右方向に連続しているので、茶樹の枝先が蛇腹状構造３５に当たっても、当たった枝先は蛇腹状構造３５に引っかかることなく左側防護部３０及び右側防護部３１の上を横滑りしてしまう。
【００４８】
したがって、茶摘み作業用プロテクター１Ｂを着用した作業者は、茶樹を植えた畝の間の通路を前進あるいは後退しながら、スムーズに茶葉を手で摘み取ることができる。
茶摘み作業用プロテクター１Ｂを洗濯する場合には、左側防護部３０と右側防護部３１とをズボン２０から剥がして取り外せば良い。そして、茶摘み作業用プロテクター１Ｂの洗濯が終わった、左側防護部３０と右側防護部３１とをズボン２０に再び取り付ければ良い。
【００４９】
なお、図２に示すズボン２０は、裾が足首まで達する長ズボンである。これに代えて、ズボン２０は、裾が膝までしかない半ズボンであっても良い。
【産業上の利用可能性】
【００５０】
上記のような茶摘み作業用プロテクターであるので、手で茶葉の摘み取り作業を行う農家等において有用である。
【符号の説明】
【００５１】
１Ａ、１Ｂ    茶摘み作業用プロテクター
１０    前垂れ
１１    腰紐
２０    ズボン
２１    ズボンの左脚部
２２    ズボンの右脚部
３０    左側防護部
３１    右側防護部
３５    蛇腹状構造
３６    蛇腹状構造の山折り
３７    蛇腹状構造の谷折り
４０    面ファスナー
４１    面ファスナーのフック面
５０    固定用紐
【図１】
0003186973.tif 000003
【図２】
0003186973.tif 000004